(57)【特許請求の範囲】
【請求項１】
回転軸を有する電動機と、この電動機の回転軸が挿入されるボス部を有する羽根と、この羽根の前記回転軸に対する着脱操作を行う着脱手段とを備え、前記着脱手段は、前記羽根を回転軸に保持させる保持力を生じさせる保持手段と、この保持手段による前記保持力を解除する解除手段とを有し、この着脱手段の保持手段が、前記保持力の解除方向へ移動するのを抑制する前記ボス部に固定されるベース部と前記ベース部の外周部に設けられたヒンジ部を介して開閉自在に設けられたキャップ部とからなる前記着脱手段を覆うキャップ状のカバーを設けた脱落防止保証手段を設け、前記カバーの下部に水抜き穴を設け、前記キャップ部の背面側を前記水抜き穴に向かって低くなる傾斜をつけた形状とした送風機。
【請求項２】
脱落防止保証手段は、着脱手段の解除手段が、前記保持手段を、その保持力の解除方向へ移動させるのを抑制する請求項１に記載の送風機。
【発明の詳細な説明】
【技術分野】
【０００１】
本発明は、工具等を用いずに容易に羽根を着脱できる送風機に関する。
【背景技術】
【０００２】
従来のこの種の送風機においては、羽根の回転軸への着脱を、羽根を回転軸に嵌めて押し付けることにより取り付け、また、指で挟む操作により回転軸への保持を解除して取り外すものが知られている（例えば、特許文献１参照）。
【０００３】
以下、その羽根の着脱装置について、図９および図１０を参照しながら説明する。
【０００４】
図９および図１０に示すように、電動機の回転軸１０１には、羽根１０２のブレード部１０３に設けたボス部１０４の係合部１０５が係合して回り止めとなる羽根回り止め部１０６と、凹溝１０７とを設けている。
【０００５】
また、ブレード部１０３には、凹溝１０７に係合し保持される保持部１０８と、押圧部１０９とで回転軸１０１を囲むようにほぼＵ字状に形成した羽根ロック部１１０を、対向するように一対設けている。
【０００６】
上記構成により、羽根１０２を回転軸１０１に取り付けるときは、ボス部１０４を回転軸１０１に嵌め、ボス部１０４に設けた係合部１０５を回転軸１０１に設けた羽根周り止め部１０６に係合させる。
【０００７】
また、この時、回転軸１０１の先端部分により、一対の羽根ロック部１１０の保持部１０８が開かれ、次に回転軸１０１の凹溝１０７が、一対の保持部１０８の弾性力で挟持されることにより、羽根１０２が取り付けられる。
【０００８】
また、羽根１０２を取り外す時には、押圧部１０９を指先で内方側に向け押圧する。
【０００９】
すると、押圧部１０９と一体に設けられた一対の保持部１０８が回転軸１０１の凹溝１０７から離れる方向に移動するので、羽根１０２を容易に取り外すことができる。
【特許文献１】特開２００４−１２４７８２号公報（第３頁、図１，２）
【発明の開示】
【発明が解決しようとする課題】
【００１０】
このような従来の送風機は、たとえば、パイプ用換気扇の羽根のように小さくて軽い羽根の場合は、回転軸１０１への保持力が長期間にわたって確保されるが、天井埋込形換気扇に組み込まれる遠心送風機の羽根のように、大きさおよび構造上、重量が大きくなるものは、長期間、回転軸１０１が垂直になる方向に設置されると、羽根ロック部１１０の保持力が徐々に低下し、場合によっては、羽根１０２が回転軸１０１から外れて落下してしまうおそれがある。
【００１１】
すなわち、羽根１０２の掃除のために容易に着脱できる構造にするためには、例えば上記従来例では保持部１０８には弾性力を持たせるが、このように弾性力を利用するものでは、長期使用のうちに、羽根１０２が回転軸１０１から外れて脱落する可能性が高くなる。
【００１２】
そこで本発明は、羽根の脱落防止を図ることを目的とするものである。
【課題を解決するための手段】
【００１３】
そしてこの目的を達成するために本発明は、回転軸を有する電動機と、この電動機の回転軸が挿入されるボス部を有する羽根と、この羽根の前記回転軸に対する着脱操作を行う着脱手段とを備え、前記着脱手段は、前記羽根を回転軸に保持させる保持力を生じさせる保持手段と、この保持手段による前記保持力を解除する解除手段とを有し、この着脱手段の保持手段が、前記保持力の解除方向へ移動するのを抑制する脱落防止保証手段を設け、これにより所期の目的を達成するものである。
【発明の効果】
【００１４】
以上のように本発明は、回転軸を有する電動機と、この電動機の回転軸が挿入されるボス部を有する羽根と、この羽根の前記回転軸に対する着脱操作を行う着脱手段とを備え、前記着脱手段は、前記羽根を回転軸に保持させる保持力を生じさせる保持手段と、この保持手段による前記保持力を解除する解除手段とを有し、この着脱手段の保持手段が、前記保持力の解除方向へ移動するのを抑制する脱落防止保証手段を設けたものであるので、羽根の脱落防止に対する信頼性を高めることが出来るものとなる。
【００１５】
すなわち、着脱手段の保持手段が、前記保持力の解除方向へ移動するのを抑制する脱落防止保証手段を設けたものであるので、保持手段が保持力の解除方向へ移動するのを抑制することができ、その結果として羽根の脱落防止に対する信頼性を高めることが出来るのである。
【発明を実施するための最良の形態】
【００１６】
以下、本発明の実施の形態について、図１〜図８を参照しながら説明する。
【００１７】
（実施の形態１）
実施の形態１は、図１に示すように、天井埋込形の換気扇に組み込まれる遠心送風機に係るものである。
【００１８】
天井埋込形の換気扇は、天井裏に挿入設置され、下面に室内に臨む開口を有する箱状のフレーム２内に、スクロール状のケーシング３を設け、このケーシング３内には、このケーシング３内に配設され電動機４（図２に示す）と、この電動機４によって回転駆動される遠心送風式の羽根１とからなる送風機を組み込み、構成されている。
【００１９】
図２に示すように、電動機４の回転軸５には、ピン６ａを直交貫通させて固着した羽根回り止め部６と、全周にわたって外方に開口した凹溝７とを設けている。
【００２０】
羽根１は、複数のブレードを備えた外周側のブレード部８と、電動機４の回転軸５を挿入して固着される中央側のボス部９とを一体化したもので、ボス部９の図２の上側端部には、回転軸５の羽根回り止め部６に係合する係合部１０が形成されている。
【００２１】
また、回転軸５の凹溝７を構成要件の一つとする羽根１の抜け止めをなす羽根ロック部１１が設けられている。
【００２２】
羽根ロック部１１では、図２に示すように、横断面形状が回転軸５を挟む、ほぼＵ字状となる保持部１２と押圧部１３とが配設されており、保持部１２を回転軸５の凹溝７の底面に当接させている。
【００２３】
横断面形状が回転軸５を挟む、ほぼＵ字状となる保持部１２と押圧部１３とを、回転軸５に対して互い違いの方向に一対設けて、一対の羽根ロック部１１を構成する。
【００２４】
一対の保持部１２が、その弾性力により内面側どうしで凹溝７部を挟持して、羽根１を回転軸５に保持している。羽根ロック部１１は回転軸５に対して互い違いの方向に一対設けられているので、一対となる押圧部１３を指先で挟んで力を内方に加えると、一対の保持部１２は、互いに離れる方向へ移動して回転軸５の凹溝７から外れ保持力が解除される。
【００２５】
すなわち、この羽根ロック部１１は羽根１の着脱手段を構成しているのである。
【００２６】
そして、ボス部９には、羽根ロック部１１を覆うキャップ状のカバー１４が開閉自在に設けられている（後述するが、このカバー１４が羽根１の脱落防止保証手段を構成している）。
【００２７】
カバー１４は、図３に示すボス部９に固定されるベース部１４ａと、ベース部１４ａの外周部に設けられたヒンジ部１４ｂを介して開閉自在に設けられたキャップ部１４ｃとからなる。また、図４に示すようにキャップ部１４ｃの外周部には、ヒンジ部１４ｂと対向する箇所にベース部１４ａの係合用突起と係合してキャップ部１４ｃの閉塞を保持する係合用爪１５が設けられ、さらに、キャップ部１４ｃの背面に、キャップ部１４ｃ閉塞時に、一方の羽根ロック部１１の保持部１２と、この保持部１２と隣り合うもう一方の羽根ロック部１１の押圧部１３との間に挿入されて、保持部１２の動きを阻止する突起状の保持部固定部１６を備えている。
【００２８】
また、図４に示すように、キャップ部１４ｃの外周部で係合用爪１５の直近に、キャップ部１４ｃを開く操作をしやすくする指掛け用リブ１７を設けるとともに、係合用爪１５との間に隙間を形成し、先端側を根元側よりも薄くなるように傾斜させたガイドリブ１８を設け、係合用爪１５に係合するベース部１４ａの外周部がこの隙間に嵌合するようにして、キャップ部１４ｃを塞ぐ操作をしやすくしている。そして、図１に示すように、キャップ部１４ｃの表面側となる前面には、指掛け用リブ１７を指し、キャップ部１４ｃの開放時に指掛け用リブ１７をつまんで操作することを示す刻印２４を施している。なお、刻印２４に代えてラベルを貼付してもよい。
【００２９】
また、図３に示すように、羽根ロック部１１とカバー１４とボス部９とは、それぞれが別体の構成要素で、複数の爪１９と穴２０を係合させて接合し、一体に形成されているが、複数の爪１９および穴２０のうち、少なくとも一組の爪１９および穴２０は他の爪１９および穴２０と幅が違い、形状が異なっている。したがって、これらの構成要素は所定の取付け方向にしか取り付かない。
【００３０】
また、キャップ部１４ｃの下部に水抜き穴２１を設けるとともに、キャップ部１４ｃの背面側を中央部から水抜き穴２１に向かって低くなるように傾斜をつけた形状としている。
【００３１】
また、羽根ロック部１１とカバー１４とボス部９のそれぞれの色が異なるようにしている。
【００３２】
上記構成において、換気扇を長時間運転すると羽根１に埃等が付着し、風量が減少したり、騒音が高くなるので、羽根１を電動機４の回転軸５から取り外して掃除する必要があるが、この羽根１の取り外しは以下のようにして行われる。
【００３３】
まず、図５に示すように、フレーム２の下面を覆って取り付けられている前面パネル２２を外し、ケーシング３の下面に設けられて吸込口を形成したオリフィス２３を外す。
【００３４】
そして、図４のカバー１４のキャップ部１４ｃを、指掛け用リブ１７を指でつまんでヒンジ部１４ｂを支点として開く（例えば図３の状態）。このとき、指掛け用リブ１７によって、キャップ部１４ｃを開く方向に力を加える箇所をつまみやすくなり、また、指掛け用リブ１７の使用を指し示す刻印２４によって、キャップ部１４ｃを開放するためにつまみ操作する箇所が、迷わずにすぐにわかることとなる。そして、キャップ部１４ｃを開くと、キャップ部１４ｃの背面の保持部固定部１６が羽根ロック部１１の保持部１２と押圧部１３との間から引き出された状態となり、一対の押圧部１３を指先で挟み内方に力を加えると押圧部１３と一体に形成された保持部１２が連動して回転軸５から離れる方向に動き、羽根ロック部１１の凹溝７における保持力が解除され、羽根１が回転軸５から容易に取り外される。
【００３５】
羽根１の掃除を終え回転軸５に取り付けるときは、ボス部９を回転軸５に嵌め、ボス部９の係合部１０を回転軸５の羽根回り止め部６に係合しながら、羽根１を押し上げて回転軸５の先端部で保持部１２をその弾性力に抗して開き、凹溝７に保持部１２を係合させると、保持部１２の弾性力で回転軸５を凹溝７において挟持し、羽根１を回り止め、かつ、抜け止めの状態に容易に取り付けることができる。
【００３６】
そして、羽根１を羽根ロック部１１によって固定した後、キャップ部１４ｃを閉じる方向に操作してカバー１４を塞ぐが、この操作は、キャップ部１４ｃの係合用爪１５とガイドリブ１８との間の隙間にベース部１４ａの外周部が嵌合してキャップ部１４ｃをベース部１４ａに係合するようにガイドするので、その係合が確実になされることとなる。
【００３７】
そして、キャップ部１４ｃを閉じると、保持部固定部１６が保持部１２と押圧部１３との間に挿入されて、一対の保持部１２が羽根１の荷重により押し広げられように動くのを阻止し、長期間設置されても保持部１２が凹溝７から外れることがなく、羽根１が回転軸５から脱落するのを確実に防止することができる。
【００３８】
また、上記のキャップ部１４ｃの開閉操作は、キャップ部１４ｃとベース部１４ａとを連結するヒンジ部１４ｂに対向する箇所に設けた係合用爪１５の一箇所における係脱で行えばよいので操作が簡単になるとともに、一箇所の係合の状態を確認すればよいのでキャップ部１４ｃの閉塞を確実に行うことができるようになる。
【００３９】
さらに、羽根ロック部１１とカバー１４とボス部９のそれぞれの色が異なるので、キャップ部１４ｃの開閉、そして、羽根１の着脱の操作時に、操作に対応する構成要素が一目で識別でき、目的の操作が迷わずに確実にできることとなる。
【００４０】
一方、換気扇の製造時、羽根ロック部１１およびカバー１４をボス部９に一体に組み立てる際、複数の爪１９および穴２０のうち、少なくとも一組の爪１９および穴２０の形状が他の爪１９および穴２０の形状と異なるので、羽根１の重量バランス等を考慮して決めた所定の取付け方向にしか取り付けることができず、重量アンバランスに起因する振動の発生等の防止ができ、品質を確保できることとなる。
【００４１】
以上のように本発明の実施の形態１の羽根の着脱装置によれば、天井に取り付けられ、内部の空間が狭い天井埋形の換気扇野のフレーム２内に組み込まれた送風機の羽根１の着脱が容易であり、羽根１の着脱が容易であっても、羽根１が電動機４の回転軸５から外れて脱落するのを確実に防止することができ、さらに、これらの羽根１の容易な着脱、羽根１の確実な脱落防止を達成できる構成としても、羽根１の落下防止のための操作が、迷わずに手間なく、かつ、確実に行うことができることとなる。
【００４２】
また、カバー１４は、上方に開いた状態のキャップ部１４ｃを備えているので、換気扇を設置する場所によっては、キャップ部１４ｃに水の溜まることがあるが、少し溜まったところで下部に設けた水抜き穴２１から下方に落ちて排出されるので、キャップ部１４内に長時間水を溜めることがなくなり、羽根１を固着している回転軸５に錆が発生したり、カバー１４内に錆水が発生するのを抑制することができる。
【００４３】
さらに、キャップ部１４ｃの背面側を、水抜き穴２１に向かって低くなる傾斜をつけた形状としているので、水の排出効果が高まる。
【００４４】
（実施の形態２）
実施の形態２は、図６に示すように、上記実施の形態１に対し、別体の構成要素である羽根ロック部１１とカバー１４とボス部９とを接合して一体に形成する複数の爪１９Ａおよび穴２０Ａの配置間隔を、等間隔でなく不均一にした点が相違する。
【００４５】
上記構成により、羽根１の重量バランス等を考慮して決めた所定の取付け方向とは異なる方向に誤って取り付けることが確実になくなり、品質がより保障されることとなる。
【００４６】
（実施の形態３）
実施の形態３は、図７に示すように、カバー１４のキャップ部１４ｃの背面に突出して設ける保持部固定部１６Ａを、横断面形状でＬの字状としたことに特徴がある。
【００４７】
なお、保持部固定部１６Ａの形状以外の他の構成要素と関係する構成および機能は、上記実施の形態１と同じである。
【００４８】
上記構成により、保持部固定部１６Ａの厚みを薄くしても強度が確保でき、保持部固定部１６Ａを背面に突出形成するキャップ部１４ｃの表面側における成形時のひけの発生をなくすことができる。
【００４９】
このように本発明の実施の形態３の羽根の着脱装置によれば、保持部固定部１６Ａの強度を、カバー１４の外観上好ましい状態で確保できる。
【００５０】
（実施の形態４）
実施の形態４は、図８に示すように、カバー１４のキャップ部１４ｃの背面に突出して設ける保持部固定部１６Ｂを、横断面形状でコの字状としたことに特徴がある。
【００５１】
上記構成により、上記実施の形態３と同様に、保持部固定部１６Ｂの厚みを薄くでき、キャップ部１４ｃの表面側における成形時のひけの発生をなくすことができる。
【００５２】
このように本発明の実施の形態４の羽根の着脱装置によれば、保持部固定部１６Ｂの強度を確保したうえで、カバー１４の外観上の不具合な状態の発生を抑えることができる。
【産業上の利用可能性】
【００５３】
羽根の着脱が容易で、しかも、羽根の回転軸からの脱落が確実に防止でき、特に高所に取り付けられる機器に組み込まれる送風機に有用である。
【図面の簡単な説明】
【００５４】
【図１】本発明の実施の形態１を天井埋込形換気扇に適用した斜視図
【図２】同羽根部分の断面図
【図３】同羽根部分のカバーを外した状態を示す斜視図
【図４】同着脱手段部分の拡大断面図
【図５】同羽根を取り外し時の状態を示す分解斜視図
【図６】本発明の実施の形態２の羽根からカバーを外した状態を示す斜視図
【図７】本発明の実施の形態３の羽根からカバーを外した状態を示す斜視図
【図８】本発明の実施の形態４の羽根からカバーを外した状態を示す斜視図
【図９】従来の羽根の着脱手段の拡大断面図
【図１０】同羽根の取り外し時の状態を示す分解斜視図
【符号の説明】
【００５５】
１      羽根
５      回転軸
６      羽根回り止め部
７      凹溝
９      ボス部
１０    係合部
１１    羽根ロック部
１２    保持部
１３    押圧部
１４    カバー
１４ｂ  ヒンジ部
１５    係合用爪
１６    保持部固定部
１６Ａ  保持部固定部
１６Ｂ  保持部固定部
１７    指掛け用リブ
１８    ガイドリブ
１９    爪
１９Ａ  爪
２１    水抜き穴
２４    刻印
【図１】
0005446133.tif 000002
【図２】
0005446133.tif 000003
【図３】
0005446133.tif 000004
【図４】
0005446133.tif 000005
【図５】
0005446133.tif 000006
【図６】
0005446133.tif 000007
【図７】
0005446133.tif 000008
【図８】
0005446133.tif 000009
【図９】
0005446133.tif 000010
【図１０】
0005446133.tif 000011